(57)【要約】【課題】老若男女で異なる指の大きさ（太さ）であっても着脱が容易であり、手指から抜け落ちることなく食品をしっかりと持つことができる使い捨ての指サックを提供する。【解決手段】帯状ベースとその両端に互いの開口部が対向するよう設けられた親指ポケット部及び人差し指ポケット部とから構成され、該帯状ベースは両端のつまみ部とこれら２つのつまみ部を連接する連接部とを有し、前記帯状ベースは少なくともつまみ部の片面がエンボス加工されてなるポリオレフィンシートからなり、前記親指ポケット部及び前記人差し指ポケット部は片面がエンボス加工されたポリオレフィンシートからなり、前記親指ポケット部又は人差し指ポケット部の内面及びこれに対面するつまみ部の表面は共にエンボス加工面であり、前記親指ポケット部又は人差し指ポケット部と前記帯状ベースのつまみ部とが適所にて点状熱溶着され分離可能に形成された指太さ調節手段がそれぞれ設けられてなる、使い捨て指サック。【選択図】図１
2013040431.tif 000002
【特許請求の範囲】
【請求項１】
帯状ベースと、その一端側に設けられた親指ポケット部と、その他端側に開口部が親指ポケット部の開口部と対向するように設けられた人差し指ポケット部とから構成され、
該帯状ベースは、親指と人差し指で食物を掴むための、一端側のつまみ部及び他端側のつまみ部と、これら２つのつまみ部を連接する連接部とを有し、
前記帯状ベースはポリオレフィンシートからなり、そのうち少なくともつまみ部は片面がエンボス加工されてなり、
前記親指ポケット部及び前記人差し指ポケット部の各シートは片面がエンボス加工されたポリオレフィンシートからなり、そして、
前記親指ポケット部の内面及びこれに対面するつまみ部の表面は共にエンボス加工面であり、また前記人差し指ポケット部の内面及びこれに対面するつまみ部の表面は共にエンボス加工面であり、さらに
前記親指ポケット部と前記帯状ベースのつまみ部、並びに前記人差し指ポケット部と前記帯状ベースのつまみ部とが、適所に点状熱溶着され、分離可能に形成された指太さ調節手段がそれぞれ設けられてなる、
使い捨て指サック。
【請求項２】
前記帯状ベースの連接部の中心点から一端側のつまみ部の先端に伸びる直線と、該中心点から他端側のつまみ部の先端に伸びる直線とがなす角度が１６０°乃至１７０°の角度を有する形状にて帯状ベースが形成されてなる、請求項１記載の使い捨て指サック。
【発明の詳細な説明】
【技術分野】
【０００１】
本発明は、食物等を手の指先で掴んで食べる際に、指先についた細菌を食物に付着させることを防止し、且つ、食物等による指先の汚れを防止することができる、使い捨ての指サックに関する。
【背景技術】
【０００２】
従来より、ビスケットやドーナッツ、ポテトチップなどのスナック菓子をはじめとする種々の菓子や、ハンバーガーやフライドチキンなどのファストフード、或いはピザなど、手でつかんで食べることが一般的になっている食品や、箸やフォークを用いて食べることが難しい食品は、直に手で掴んで食べられている。
食品を直に手（指先）で掴んで食べると、手や指先に付いている細菌が食品に付着し、またその食品によって指先が汚れるなど、衛生面で問題があることから、食事前に手や指先を水や石鹸を用いて洗浄したり、おしぼり等で拭うか、或いは、食品に指や手が直に触れないように紙ナプキンなどを用いて食品を掴んで食べるといったことが従来なされている。
しかしながら、洗浄やおしぼりで拭ったとしても手指の細菌が完全の除去できるとは限らないこと、食後には再度手や指を洗浄する必要があること、食後に手指を洗わずに他のものに触れてしまうことがあり不衛生であることなどの問題がある。また紙ナプキンは手指にフィットするようには形成されていないことから、様々な形状の食品を食べるときに食品をうまく掴めなかったりするという問題がある。
【０００３】
こうした問題に対して、指１本の形をかたどったビニール２枚を重ねあわせ、袋状に綴じた指カバーが提案されている（特許文献１）。
また様々な形状のスナックフードをつまむことができる指先サックとして、大小２つの指サック（大：人指し指と中指、小：親指）を蝶番機能を持った帯状の部材を用いて手のひら部分でつないで一体化した、着脱が簡単な指先サックが提案されている（特許文献２）。
さらに、シリコーンゴムなどのエラストマーで形成された男性を有するつまみ用指サックなども提案されている（特許文献３）。
【先行技術文献】
【特許文献】
【０００４】
【特許文献１】実用新案登録第３１６１２５６号
【特許文献２】特開２００２−２０９９３３号公報
【特許文献３】実用新案登録第３１５９７９８号
【発明の開示】
【発明が解決しようとする課題】
【０００５】
しかし、前述の特許文献１に示す指カバーは、袋状の指カバーを広げて指先に装着しなければならず、指カバーの装着が面倒であること、また指カバーの裏面（指と接する面）が平滑な面であることから、食べ物を掴んだ際、場合によっては指から滑って抜け落ちてしまい、うまく掴めないといった問題があった。
また、特許文献２に示す指先サックは、使用する素材として適度な張りを有する素材を使用しているため、未使用時に蝶番機能を持った部材が伸ばされた状態でテーブル等に置かれることとなり、指サックの挿入口が対向するとともに、指サックの挿入口がテーブルの面と平行に位置することとなるため指を挿入しにくく、片手で瞬時に装着することができないという問題があった。
さらに特許文献３に示すつまみ用指サックは、使い捨てでないため使用後に洗浄する必要があり、指サックの形状が複雑であるため洗浄に手間がかかること、また製造コストが嵩むといった問題があった。
【０００６】
本発明は上記事情に鑑みてなされたものであり、その解決しようとする課題は、手指に付着する細菌等から食物を守り、手指を汚さずに衛生的に食事をするための指サックであって、老若男女で異なる指の大きさ（太さ）であっても着脱が容易であり、手指から抜け落ちることなく食品をしっかりと持つことができ、また低コストで量産できる使い捨ての指サックを提供することにある。
【課題を解決するための手段】
【０００７】
本発明者らは上記課題を解決するために鋭意検討を重ねた結果、帯状ベースの両端に指を挿入することができるポケットとして親指ポケット部及び人差し指ポケット部を設けた指サックにおいて、指サック全体をポリオレフィンシートで形成することにより、該指サックを手指に装着した際、油分の多い食品であっても指を汚さずにしっかりと食品を掴むことができることを見出した。
また本発明者らはポケットの内面、すなわち、帯状ベースの指先と接する面と、ポケット部の指先と接する面の双方をエンボス加工を施すことによって、該指サックを手指に装着した際、指と帯状ベースの指先と接する面との間、並びに指と該ポケット部の指先と接する面との間に適度な摩擦が生じ、使用時に指サックから指が抜けることなく、食品をしっかりと掴むことができることを見出した。
特に本発明者らは、前記親指ポケット部及び人差し指ポケット部と帯状ベースの適当な箇所を点状に熱溶着することにより形成してなる指太さ調節手段を設けることにより、該指サックを装着する際、指が太い場合には熱溶着部分をはがしてポケットを広げることができ、大人・子供、男性・女性など様々な指の太さであっても指サックを装着することができることを見出した。
さらに、本発明者らは、該指サック使用時に親指と人差し指などの他の指への装着が容易であり、また食品等を摘む際には指サックを装着した手指の動きを阻害しない形状を検討したところ、指サック（帯状ベース）の中心点と、その両端のそれぞれの端とを各々結んだ直線が１６０°乃至１７０°の角度で交わるように帯状ベース（指サック）を形成することが最も好適であることを見出し、本発明を完成させた。
【０００８】
すなわち本発明は、食物を手に持って食べる際に指にはめて使用する使い捨て指サックであって、詳細には、
帯状ベースと、その一端側に設けられた親指ポケット部と、その他端側に開口部が親指ポケット部の開口部と対向するように設けられた人差し指ポケット部とから構成され、
該帯状ベースは、親指と人差し指で食物を掴むための、一端側のつまみ部及び他端側のつまみ部と、これら２つのつまみ部を連接する連接部とを有し、
前記帯状ベースはポリオレフィンシートからなり、そのうち少なくともつまみ部は片面がエンボス加工されてなり、
前記親指ポケット部及び前記人差し指ポケット部の各シートは片面がエンボス加工されたポリオレフィンシートからなり、そして、
前記親指ポケット部の内面及びこれに対面するつまみ部の表面は共にエンボス加工面であり、また前記人差し指ポケット部の内面及びこれに対面するつまみ部の表面は共にエンボス加工面であり、さらに
前記親指ポケット部と前記帯状ベースのつまみ部、並びに前記人差し指ポケット部と前記帯状ベースのつまみ部とが、適所に点状熱溶着され、分離可能に形成された指太さ調節手段がそれぞれ設けられてなる、
使い捨て指サックに関するものである。
上記指サックにおいて、前記帯状ベースの連接部の中心点から一端側のつまみ部の先端
に伸びる直線と、該中心点から他端側のつまみ部の先端に伸びる直線とがなす角度が１６０°乃至１７０°の角度を有する形状にて帯状ベースが形成されてなることが好ましい。
【発明の効果】
【０００９】
本発明の指サックは、菓子やファストフード等の食品を手で掴んで食べる際に、片手で（親指と人差し指を開く動作だけで）簡単に指に装着することができ、油分の多い食品であっても指を汚さず、また、油分によって滑ることなく、子供の力でもしっかりと食品を掴むことができる。
また本発明の指サックは、ポケット内部、即ち、指と接する表面にエンボス加工を施すことにより、指と指サックの間に適度な摩擦がうまれ、使用時に指先から滑って簡単に外れることを防止でき、食品をしっかり掴むことができる。
とくに本発明の指サックは、指サックに設けられた指太さ調節手段により、老若男女で様々に異なる太さの指であっても容易に装着が可能であり、すなわち、本発明の指サックを指の太い人が使用する際、指太さ調節手段を剥がして分離することにより、指を入れる部分が広くなり、指が挿入できなくなるという事態を防止できる。一方、指が細い人が使用する際にはそのまま剥がすことなく使用することで、指を入れる部分を細いままに使用でき、太すぎて指サックが指から抜けるという事態を防止できる。
さらに本発明の指サックは、該指サック使用時に、指サックのポケットを大きく広げる必要があったり、装着する指を指サックの指挿入部に合わせて大きく曲げたりする必要がなく、単に親指と人差し指を開く動作だけでこれらの指への装着が容易であり、しかも、食品等を摘む際に指サックを装着した手指の動きを阻害することがない。
そして本発明の指サックは使い捨てであるため、衛生的である。
【００１０】
しかも本発明の指サックは、未使用時は薄く平らな形状を有していることから、重ねて保管可能であり、指サックを複数個（数十個）重ねて箱や袋に詰めて包装・保管することができる。そしてこれら指サックをまとめて包装した箱等を飲食店や家庭において食事をする卓上に配置すれば、食事時に手軽に使用でき、手掴みでも衛生的に食品を食べることが習慣付けられる。
そして指サックを包装した袋等を携帯することができるため、屋外や飲食店での食事の際に指サックを使用することもできる。
【図面の簡単な説明】
【００１１】
【図１】図１は、本発明の実施例１の指サック１の斜視図（図１（ａ））及びＸ−Ｘ’線における断面図（図１（ｂ））である。
【図２】図２は、本発明の実施例１の指サック１の平面図を示す。
【図３】図３は、本発明の実施例１の指サック１を右手の手指に装着して食品を掴む図を示したものである。
【発明を実施するための最良の形態】
【００１２】
本発明の指サックは、帯状ベースと親指ポケット部及び人差し指ポケット部より構成される。
詳細には、本発明の指サックは、帯状ベースと、該帯状ベースの一端側に設けられた親指ポケット部と、該帯状ベースの他端側において開口部が親指ポケット部の開口部と対向するように設けられた人差し指ポケット部とから構成される。
【００１３】
上記帯状ベースは親指と人差し指で食物を摘むための、一端側のつまみ部及び他端側のつまみ部と、これら２つのつまみ部を連接する連接部を有してなる。前記帯状ベースは、ポリオレフィンシートからなり、そのうち少なくともつまみ部は片面がエンボス加工がなされている。
前記ポリオレフィンシートは、本発明の指サックを装着して食品を手掴みで食する際、
食品の油分を、手指に接触させない働きを有する。
前記ポリオレフィンシートは強度、成形性等の面から、素材としてポリプロピレンシート又はポリエチレンシートから形成され、なかでもポリエチレンシートが好ましい。
前記ポリオレフィンシートの厚さは、強度や柔軟性を考慮し、例えば１０乃至１００μｍ、好ましくは１５乃至６０μｍであることが望ましい。
【００１４】
前記親指ポケット部及び人差し指ポケット部は、片面がエンボス加工されたポリオレフィンシートから形成される。
前記ポリオレフィンシートは強度、成形性等の面から、素材としてポリプロピレンシート又はポリエチレンシートから形成され、なかでもポリエチレンシートが好ましい。
前記親指ポケット部及び人差し指ポケット部の厚さは、強度や柔軟性を考慮し、例えば１０乃至１００μｍ、好ましくは１５乃至６０μｍであることが望ましい。
帯状ベースと親指ポケット部及び人差し指ポケット部は熱溶着や接着剤を用いて接着される。
【００１５】
本発明の指サックは、前記親指ポケット部の内面及びこれに対面するつまみ部の表面が共にエンボス加工面となるように、また前記人差し指ポケット部の内面及びこれに対面するつまみ部の表面が共にエンボス加工面となるように構成される。
親指ポケット部及び人差し指ポケット部は、つまみ部と同じ大きさであっても、つまみ部と異なる大きさであってもよい。
また、本発明の指サック、すなわち指サックを構成する帯状シート並びに２つのつまみ部は左右対称の形状であっても左右非対称の形状であってもよいが、好ましくは左右対称の形状である。
【００１６】
指太さ調節手段は、前記親指ポケット部と前記帯状ベースのつまみ部、並びに前記人差し指ポケット部と前記帯状ベースのつまみ部とを、適所で点状に熱溶着させて分離可能となるように形成させされる。
具体的には、親指ポケット部（又は人差し指ポケット部）の開口部近傍で、親指ポケット部（又は人差し指ポケット部）と帯状ベースのつまみ部を点状に熱溶着する。
指太さ調節手段の大きさは、使用時には熱溶着部分が簡単には剥がれることがなく、但し必要時には大きな力を必要とすることなく熱溶着部分を剥がしてポケットの大きさを広げることができ、且つ、剥がして分離させた際、親指ポケット部（又は人差し指ポケット部）の熱溶着箇所と帯状ベースのつまみ部の熱溶着箇所が大きく破れて指サックが使えなくなることがないような大きさであって、例えば直径２〜３ｍｍ程度の大きさとすることができる。
指太さ調節手段が設けられる個数は特に限定されないが、親指ポケット及び人差し指ポケットの開口部付近の両端に１つずつ形成することが好ましい。
【００１７】
本発明の指サックは、前記帯状ベースの連接部の中心点から、一端側のつまみ部の先端に伸びる直線と、該中心点から他端側のつまみ部の先端に伸びる直線とがなす角度が１６０°乃至１７０°の角度を有する形状にて形成されていることが好ましい。
ここで中心点とは、帯状ベースを、中央が連接部、左右がそれぞれ２つのつまみ部となるように平面に配置したとき、垂直中央線上にあって、垂直中央線の長さが２等分となる点であり、つまみ部の先端とは、帯状ベースの前記中心点からみて、帯状ベースの最も拒理が遠方となる端を指す。
【００１８】
本発明の指サックは、一例として、図１に示される形状を有する。
図１（ａ）は本発明の使い捨て指サック１の一態様を図示する斜視図であり、図１（ｂ）は、図１（ａ）中のＸ−Ｘ’線における指サック１の断面図である。
【００１９】
図１（ａ）に示すように、本発明の指サック１は、帯状ベース２と、指ポケット部３（３ａ、３ｂ）とを備える。
なお、図１に示す本発明の指サック１は左右が対象に形成されており、右手又は左手の何れの手指においても自由に装着可能である。例えば、右手に装着する場合、指ポケット部３ａに親指を挿入し、指ポケット部３ｂに人差し指（あるいは人によっては中指など）を挿入する（図３参照）。
【００２０】
即ち、本発明の指サック１は、例えば右手で使用するものと想定する場合、図１に示す指サック１は、帯状ベース２、親指ポケット部３ａ、人差し指ポケット３ｂとして構成される。
帯状ベース２はつまみ部５ａとつまみ部５ｂと、これら２つのつまみ部を連接する連接部４とを有する。
親指ポケット部３ａ及び人差し指ポケット部３ｂにおいて、辺３ａ−１及び辺３ｂ−１はそれぞれ親指又は人差し指を挿入するところなるポケットの開口部の辺であり、すなわち図に示すように、親指ポケット部の開口部は人差し指ポケット部の開口部と対向するように設けされている。
図１に示す実施態様においては、親指ポケット部３ａと帯状ベースのつまみ部５ａ、人差し指ポケット部３ｂと帯状ベースのつまみ部５ｂは同じ大きさ・形状を有しており、親指ポケット部３ａの周囲３ａ−２とつまみ部５ｂの周囲５ａ−２、人差し指ポケット部３ｂの周囲３ｂ−２とつまみ部５ｂの周囲５ｂ−２が、それぞれ熱溶着されている。
なお図１（ａ）において、辺３ａ−１及び３ｂ−１は直線形状を有しているが、指を挿入しやすくするために、凹辺形状や凸辺形状を有していても良い。
親指ポケット部３ａの内面３ａ−３とこれに対面するつまみ部の表面５ａ−１、並びに、人差し指ポケット部３ｂの内面３ｂ−３とこれに対面するつまみ部の表面５ｂ−１は、それぞれエンボス加工面となっている。
そして、親指ポケット部３ａの開口部の辺３ａ−１と周囲３ａ−２の内側において親指ポケット部３ａとつまみ部５ａを点状に２箇所熱溶着させることにより、そして人差し指ポケット部３ｂの辺３ｂ−１と周囲３ｂ−２の内側において人差し指ポケット部３ｂとつまみ部５ｂを点状に２箇所熱溶着させることにより、指太さ調節手段６が設けられてなる。
【００２１】
図１に示す指ポケット部の平面図を図２に示す。
ここで、点Ａは帯状ベース２の連接部４の中心点、点Ｂ及びＢ’は、帯状ベース２の２つのつまみ部５（５ａ、５ｂ）のそれぞれの先端を示す。中心点Ａは垂直中央線を示すＹ−Ｙ’線上にあって、その長さが二等分（ｐの長さ＝ｑの長さ）となる点である。なお前述したように、本発明において先端Ｂ、Ｂ’は、中心点Ａからつまみ部５ａ、５ｂに向かって、最も直線距離が長くなる点をいう。
図２に示すように、点Ａ−点Ｂがなす直線と、点Ａ−点Ｂ’がなす直線は、１６０°乃至１７０°の角度θを有して点Ａで交わり、好ましくはθは１６２°乃至１６８°の角度を有していることが望ましい。
このように、点Ａ−点Ｂがなす直線と、点Ａ−点Ｂ’とを一直線（１８０°）となるように指サックを形成するのではなく、点Ａにて１８０°より少ない一定の角度θを有して交わらせるように指サック１を形成することにより、指サック１への親指及び人差し指等の挿入をより容易なものとすることができる。
【実施例】
【００２２】
実施例１
以下に図面を参照して本発明をより詳細に説明する。
図１に示す本発明の指サックを片面がエンボス加工された厚さ２０μｍの高密度ポリエチレン製のフィルムを用いて製造した。
【００２３】
図１及び図２に示すように、帯状ベース２と２つの指ポケット部（親指ポケット部３ａ、人差し指ポケット部３ｂ）を用意した。
帯状ベース２は、（最大となる）横幅２ａが１７ｃｍ、（最大となる）縦幅２ｂが４．４ｃｍ、つまみ部（５ａ、５ｂ）の横幅２ａ−１及び２ａ−３が５．８ｃｍ、連接部の横幅２ａ−２が５．４ｃｍであり、中心点Ａと端点Ｂ、Ｂ’がなす角θを１６５°として形成した。また２つの指ポケット部（親指ポケット部３ａ、人差し指ポケット部３ｂ）は、帯状ベース２のつまみ部５ａ及び５ｂと重なる形状に成形した。
そして、帯状ベース２と、帯状ベース２のつまみ部５（５ａ、５ｂ）に重なるように親指ポケット部３ａ、人差し指ポケット部３ｂを重ね、このとき、帯状ベースのつまみ部５と指ポケット部３における指と直に接する面、即ち、つまみ部５ａ、５ｂの表面（５ａ−１、５ｂ−１）と、親指ポケット部３ａ及び人差し指ポケット部３ｂの内面（３ａ−３、３ｂ−３）がいずれもエンボス加工面となるようにして重ねた。そして親指ポケット部３ａ及び人差し指ポケット部３ｂの周囲３ａ−２及び３ｂ−２と、つまみ部５ａ及び５ｂの周囲５ａ−２、５ｂ−２は熱溶着により接着させた。
【００２４】
次に、親指ポケット部３ａの辺３ａ−１からの最短距離が９ｍｍ、親指ポケット部３ａの周囲３ａ−２からの最短距離が４ｍｍとなる位置（２箇所）において、親指ポケット部３ａと帯状ベース２のつまみ部５ａを、直径２ｍｍの点状に熱溶着することにより、指太さ調節手段６を設けた。
同様に、人差し指ポケット部３ｂの辺３ｂ−１からの最短距離が９ｍｍ、人差し指ポケット部３ｂの周囲３ｂ−２からの最短距離が４ｍｍとなる位置（２箇所）において、人差しポケット部３ｂと帯状ベース２のつまみ部５ｂを、直径２ｍｍの点状に熱溶着することにより、指太さ調節手段６を設けた。
【００２５】
図３は、本発明の指サック１を指に装着して食品を掴んだ様子を示す図である。図３に示すように、本発明の指サック１を装着することにより、油分の多い食品であっても、指に直接触れることなく掴んで食することができる。
【符号の説明】
【００２６】
１  指サック
２  帯状ベース
２ａ  帯状ベースの横幅（最大となる幅）
２ａ−１  つまみ部５ａの横幅
２ａ−２  連接部４の横幅
２ａ−３  つまみ部５ｂの横幅
２ｂ  帯状ベースの縦幅（最大となる幅）
３（３ａ、３ｂ）  指ポケット部（３ａ：親指ポケット部、３ｂ：人差し指ポケット部）
３ａ−１、３ｂ−１    開口部の辺
３ａ−２、３ｂ−２    周囲
３ａ−３、３ｂ−３    内面
４  連接部
５（５ａ、５ｂ）つまみ部
５ａ−１、５ｂ−１    表面
５ａ−２、５ｂ−２    周囲
６  指太さ調節手段
Ａ  中心点
Ｂ、Ｂ’  端点
【図１】
2013040431.tif 000003
【図２】
2013040431.tif 000004
【図３】
2013040431.tif 000005